(57)【要約】      （修正有）【課題】肩紐の屈曲性を維持しつつ、肩紐の剛性を高めることにより、背負う者の背中から離れる方向に移動するのを極力防止したランドセルを提供する。【解決手段】帯状に形成された左右一対の肩紐４を有するランドセルであり、肩紐４の各側縁部４ｓに沿って、複数本の金属製の素線で形成されたワイヤロープ４１を埋め込むことにより、肩紐４の屈曲性を維持しつつ、肩紐４の剛性を高め、これによりランドセルが背負う者の背中から離れる方向に移動するのを極力防止するように構成している。【選択図】図１０
0003145230.tif 000002
【実用新案登録請求の範囲】
【請求項１】
帯状に形成された左右一対の肩紐を有するランドセルであって、
前記肩紐には、各側縁部に沿って、複数本の金属製の素線で形成されたワイヤロープが埋め込まれていることを特徴とするランドセル。
【請求項２】
前記肩紐は、その一端部が背当て部の上部に配置された背かんに連結されていると共に、当該一端部が前記背かんに設けられた案内部材によって当該背かんから立ち上がるように案内されており、
前記ワイヤロープは、前記肩紐における少なくとも前記案内部材に対応する部位から背負う者の肩の前方に対応する部位まで延在していることを特徴とする請求項１に記載のランドセル。
【請求項３】
前記肩紐は、帯状に形成された緩衝部材と、この緩衝部材における背負う者の肩側を向く裏面を覆う裏面部を有し、かつ当該裏面部から前記緩衝部材の表面における両側縁部に沿うように折り返された折返部を有する裏面部材と、前記緩衝部材の表面及び前記各折返部に重なるように設けられた表面部材とを備え、前記ワイヤロープが前記表面部材と前記各折返部との間に配置されていることを特徴とする請求項１又は２に記載のランドセル。
【請求項４】
前記表面部材と前記裏面部とは、前記ワイヤロープの両側に沿う各ライン上において、前記折返部及び前記緩衝部材を挟んだ状態で縫合されていることを特徴とする請求項３に記載のランドセル。
【請求項５】
前記ワイヤロープは、前記表面部材及び前記折返部と接着されていることを特徴とする請求項３又は４に記載のランドセル。
【考案の詳細な説明】
【技術分野】
【０００１】
本考案は、左右一対の肩紐を有するランドセルに関する。
【背景技術】
【０００２】
この種のランドセルとしては、図１４に示すように、帯状に形成された左右一対の各肩紐Ａの一端部が背当て部Ｂの上部に設けられた背かんＣに回転自在に連結されたものが知られている（例えば、特許文献１の図１０、図１１参照）。
【０００３】
また、肩紐Ａとしては、左右の各側縁部に沿って補強テープを備えたものが知られている（例えば、特許文献２）。補強テープは、ポリエステル等の繊維素材を編んだ剛性の低いもので形成されており、肩紐Ａの強度の向上を図ることができると共に、当該肩紐Ａが固くごわつくことのないようになっている。
【０００４】
このように構成されたランドセルにおいては、肩紐Ａの一端部が背かんＣに回転自在に連結されていると共に、当該肩紐Ａが固くごわつくことのない剛性の低いもので構成されているため、ランドセルの重心Ｇに作用する荷重により、背当て部Ｂの上端部Ｂ１が後方に移動するような方向のモーメントＭを受けることになり、背当て部Ｂの上端部Ｂ１が背負う者の背中から離れる方向に移動することになる。即ち、背負っているうちに、ランドセルが背中から離れる方向に移動するため、ランドセルが重く感じるようになったり、肩紐Ａが背負う者の肩から外れやすくなったりするという問題があった。
【０００５】
このため、肩紐の一端部を背当て部から上方に立ち上げるための保持部材を背かんに設けた改良型のランドセルが開発されている（例えば、特許文献１の図１〜図９や、特許文献３の図１〜図５参照）。
【０００６】
【特許文献１】特開２００４−８１８００号公報
【特許文献２】実用新案登録第３０９２３６４号公報
【特許文献３】特開２００６−３８２号公報
【考案の開示】
【考案が解決しようとする課題】
【０００７】
ところが、上記改良型のランドセルにおいても、肩紐が剛性の低いもので構成されていることから、上述したモーメントＭに対して、肩紐がほとんど抵抗することなく容易に変形し、結局は図１４に示した場合と同様に、ランドセルが背中から離れる方向に移動することになる。このため、背負っているうちに、ランドセルが重く感じるようになったり、肩紐Ａが背負う者の肩から外れやすくなったりするという問題が依然として残っていた。
【０００８】
本考案は、上記事情に鑑みてなされたものであり、肩紐の屈曲性を維持しつつ、当該肩紐の剛性を高めることにより、背負う者の背中から離れる方向に移動するのを極力防止することのできるランドセルを提供することを課題としている。
【課題を解決するための手段】
【０００９】
上記課題を解決するために、請求項１に記載の考案は、帯状に形成された左右一対の肩紐を有するランドセルであって、前記肩紐には、各側縁部に沿って、複数本の金属製の素線で形成されたワイヤロープが埋め込まれていることを特徴としている。
【００１０】
請求項２に記載の考案は、請求項１に記載の考案において、前記肩紐は、その一端部が背当て部の上部に配置された背かんに連結されていると共に、当該一端部が前記背かんに設けられた案内部材によって当該背かんから立ち上がるように案内されており、前記ワイヤロープは、前記肩紐における少なくとも前記案内部材に対応する部位から背負う者の肩の前方に対応する部位まで延在していることを特徴としている。
【００１１】
請求項３に記載の考案は、請求項１又は２に記載の考案において、前記肩紐は、帯状に形成された緩衝部材と、この緩衝部材における背負う者の肩側を向く裏面を覆う裏面部を有し、かつ当該裏面部から前記緩衝部材の表面における両側縁部に沿うように折り返された折返部を有する裏面部材と、前記緩衝部材の表面及び前記各折返部に重なるように設けられた表面部材とを備え、前記ワイヤロープが前記表面部材と前記各折返部との間に配置されていることを特徴としている。
【００１２】
請求項４に記載の考案は、請求項３に記載の考案において、前記表面部材と前記裏面部とは、前記ワイヤロープの両側に沿う各ライン上において、前記折返部及び前記緩衝部材を挟んだ状態で縫合されていることを特徴としている。
【００１３】
請求項５に記載の考案は、請求項３又は４に記載の考案において、前記ワイヤロープは、前記表面部材及び前記折返部と接着されていることを特徴としている。
【考案の効果】
【００１４】
請求項１に記載の考案によれば、肩紐には各側縁部に沿って複数本の金属製の素線で形成されたワイヤロープが埋め込まれているので、肩紐の屈曲性を維持しながら、当該肩紐の剛性を高めることができる。そして、肩紐の剛性を高めることによって、当該肩紐の形状を背負う者の肩に沿う形状に維持しようとする力が高まることになるので、その力に基づいて、ランドセルを背中から離れる方向に移動させようとするモーメントに対して抵抗する反対方向のモーメントを増大させることができる。
【００１５】
従って、背負う者の背中から離れる方向に移動するのを極力防止することができるので、背負っているうちに、重く感じるようになったり、肩紐が背負う者の肩から外れやすくなったりするのを改善することができる。しかも、ワイヤロープによって肩紐の強度の向上を図ることができる。
【００１６】
請求項２に記載の考案によれば、肩紐の一端部が背かんに設けられた案内部材によって当該背かんから立ち上がるように案内されているので、肩紐の一端部を背負う者の背中に沿うように維持することができる。しかも、ワイヤロープが肩紐における少なくとも案内部材に対応する位置から背負う者の肩の前方に対応する位置まで延在しているので、肩紐は案内部材によって背中に沿って立ち上がった後、肩の後部にかけて滑らかに湾曲しながら当該肩の上部及び前部に沿って延在する形状となる。
【００１７】
従って、肩紐が案内部材の上端部分から背負う者の肩側に急激に屈曲することがないので、背負う者の背中から離れる方向に移動するのをより有効に防止することができる。よって、重く感じたり、肩紐が肩から外れやすくなったりするのをより確実に防止することができる。なお、この場合も、ワイヤロープは、肩紐の屈曲性を十分確保することができるので、背負ったり、下ろしたりする際に支障をきたすことがない。
【００１８】
請求項３に記載の考案によれば、緩衝部材と、この緩衝部材における背負う者の肩側を向く裏面を覆う裏面部を有し、かつ当該裏面部から緩衝部材の表面における両側縁部に沿うように折り返された折返部を有する裏面部材と、緩衝部材の表面及び各折返部に重なるように設けられた表面部材とを備え、ワイヤロープが表面部材と各折返部との間に配置されているので、ワイヤロープに作用する荷重を折返部、緩衝部材及び裏面部で緩和させてから背負う者の肩等に作用させることができる。従って、背負う者がワイヤロープを備えた肩紐から受ける力によって痛みや疲れ等を感じるのを防止することができる。
【００１９】
請求項４に記載の考案によれば、表面部材と裏面部とがワイヤロープの両側に沿う各ライン上において、折返部及び緩衝部材を挟んだ状態で縫合されているので、表面部材、折返部、緩衝部材及び裏面部を一体的に結合することができると共に、ワイヤロープを肩紐の各側縁部に確実に保持することができる。従って、肩紐の耐久性の向上を図ることができると共に、ワイヤロープの位置を初期の状態に確実に維持することができる。
【００２０】
請求項５に記載の考案によれば、ワイヤロープが表面部材及び折返部と接着されているので、縫合によって一体化された表面部材、折返部、緩衝部材及び裏面部と、ワイヤロープとの一体化を更に図ることができる。従って、肩紐の耐久性をより向上させることができると共に、ワイヤロープの位置を初期の状態により確実に維持することができる。
【考案を実施するための最良の形態】
【００２１】
以下、本考案を実施するための最良の形態としての一実施の形態について図面を参照しながら説明する。
【００２２】
この実施の形態で示すランドセルは、図１に示すように、ランドセル本体部１と、このランドセル本体部１の一側面（背面）に設けられた背当て部２と、この背当て部２の上部における左右方向の中央部に設けられた背かん３と、この背かん３に一端部４ａが連結された左右一対の肩紐４と、一端部が各肩紐４の他端部に連結された左右一対の下紐５と、この下紐５の他端部をランドセル本体部１の底部に固定すべく当該ランドセル本体部１の底面に設けられた左右一対のダルマかん６（図１３参照）を備えている。
【００２３】
ランドセル本体部１は、図１に示すように、矩形状に形成された大マチ１１や、この大マチ１１の前方に配置された小マチ１２等を有し、これらの大マチ１１及び小マチ１２等の上方開口部等を冠１３で開閉するようになっている。
【００２４】
背当て部２は、四角形の板状に形成されたものであって、ランドセル本体部１における大マチ１１の背面側に設けられている。この背当て部２は、その表面側に、所定の形状に隆起したクッション部２１を有しており、そのクッション部２１の表面が背負う者の背中に適度な弾力性をもって当接する背当て面２１ａとなっている。なお、上述した冠１３は、背当て部２の上端部２ａに連結されていると共に、当該上端部２ａを支点にして屈曲するようになっている。
【００２５】
背かん３は、図２に示すように、背当て部２に当接するベース部材３１と、このベース部材３１に揺動自在に設けられた左右一対の支持部材３２と、これらの各支持部材３２と各肩紐４の一端部４ａとを連結する連結部材３３（図３参照）を有している。
【００２６】
ベース部材３１は、図２に示すように、左右対称に形成されたものであり、その左右方向の中央部を背当て部２の左右方向の中央部に一致させた状態で、後述するカバー部材３７等と共に当該背当て部２にリベット状の留め金３４で固定されるようになっている。
【００２７】
即ち、ベース部材３１は、平板部３１ａと、この平板部３１ａに形成された凸状縁部３１ｂ、２つの揺動支持部３１ｃ（図２においては左側の揺動支持部３１ｃのみを示す）、ストッパ部３１ｄ、３つの連結孔３１ｅ（図２においては中央及び左側の連結孔３１ｅのみを示す）及び２つの突起部３１ｆ（図２において左側の突起部３１ｆのみを示す）を備えた構成になっている。
【００２８】
平板部３１ａは、横長の平板状に形成されたものであり、その裏面全体が背当て部２に密着するように平面状に形成されている。凸状縁部３１ｂは、平板部３１ａの左右側縁部及び下縁部に沿って当該平板部３１ａの表面から一定の高さに連続して突出するように形成されたものである。揺動支持部３１ｃは、平板部３１ａの左右対称位置にあって当該平板部３１ａの表面から円筒状に突出するように形成されたものであり、その外周面で支持部材３２を回転自在に支持するようになっている。また、揺動支持部３１ｃの中心部には、平板部３１ａを貫通する孔が形成されている。ストッパ部３１ｄは、平板部３１ａの上端部における左右方向の中央部にあって当該平板部３１ａの表面から一定の高さに突出するように形成されたものであり、各揺動支持部３１ｃを支点にして中央方向に揺動する各支持部材３２のその中央方向への移動を停止させるようになっている。
【００２９】
連結孔３１ｅは、断面円形の孔によって形成されたものであり、その一つがストッパ部３１ｄにおける左右方向の中央部を貫通するように設けられ、他の２つが平板部３１ａの上部における左右の各端部を貫通するように設けられている。なお、左右の各連結孔３１ｅは、平板部３１ａにおける左右対称位置に配置されている。また、左右の各連結孔３１ｅは、平板部３１ａの表面から突出する円筒部によって周囲が囲まれている。これら３つの各連結孔３１ｅには、上述した留め金３４が挿入されるようになっている。また、左右の各連結孔３１ｅを囲む円筒部は、左右の各揺動支持部３１ｃを支点にして左方向又は右方向に揺動する各支持部材３２の当該左方向又は右方向への移動を停止させるストッパを兼ねたものとなっている。
【００３０】
突起部３１ｆは、平板部３１ａの左右対称位置にあって当該平板部３１ａの表面から円柱状に突出するように形成されたものであり、左右の各支持部材３２を中央方向に弾性力をもって揺動させるための板バネ（弾性部材）３５を平板部３１ａにおける所定の位置に保持するようになっている。板バネ３５は、所定の幅のばね鋼板をその長手方向の所定の位置で屈曲成形したものであり、その屈曲部を突起部３１ｆと下方位置の凸状縁部３１ｂとの間に挿入し、その一端部を側方位置の凸状縁部３１ｂに当て、他端部を支持部材３２に当てることにより、当該支持部材３２を中央寄りに揺動させるための弾性力を当該支持部材３２に作用させるようになっている。
【００３１】
支持部材３２は、図２、図３、図６及び図８に示すように、軸線Ｃ１に沿って延在する一定の幅の平板状に形成された支持板部３２ａと、この支持板部３２ａの上側に当該支持板部３２ａより幅が広く形成された幅広板部３２ｂとによって一体的に形成されている。支持板部３２ａは、その下端部に、揺動支持部３１ｃの外周面に回転自在に嵌合する軸受孔３２ｃを有し、その軸受孔３２ｃの上側に、軸線Ｃ１に沿って長く形成された肉抜孔３２ｄを有している。なお、支持板部３２ａの下端部は半円状に形成されている。また、支持板部３２ａは、軸受孔３２ｃが揺動支持部３１ｃに嵌合された状態において、幅広板部３２ｂがベース部材３１の上縁から上方に突出するように、その軸方向の長さが設定されている。
【００３２】
幅広板部３２ｂは、図８に示すように、その軸線Ｃ２が支持板部３２ａの軸線Ｃ１に対して斜めに形成されている。そして、図２において、左側に位置する支持部材３２は、幅広板部３２ｂの軸線Ｃ２が支持板部３２ａの軸線Ｃ１に対して左上方に向かうように形成され、右側に位置する支持部材３２は、幅広板部３２ｂの軸線Ｃ２が支持板部３２ａの軸線Ｃ１に対して右上側に向かうように形成されている。
【００３３】
また、幅広板部３２ｂは、図８に示すように、ベース部材３１から上方に突出した直後の部分が上方に向かうに従って漸次背当て部２から離れる方向に変位する傾斜部３２ｅとなっており、この傾斜部３２ｅの上側の部分が支持板部３２ａに対して平行に形成された平行部３２ｆとなっている。平行部３２ｆには、その幅方向の両端部から軸線Ｃ２と平行に突出するアーム３２ｇ、３２ｇが形成されている。各アーム３２ｇには、その対向する各面から互いに近接する方向に同軸状に突出する片持ち状の回転支持軸３２ｈが形成されている。各回転支持軸３２ｈは、断面が円形状に形成されている。また、各アーム３２ｇは、回転支持軸３２ｈの下側の部分（回転支持軸３２ｈに対して各アーム３２ｇの根元側の部分）が直線状に延在する棒状部材（脱落防止部材）３２ｉによって連結されている。
【００３４】
連結部材３３は、図３〜図７及び図９に示すように、基端部３３ａと、この基端部３３ａから板状に突出する板状部（案内部材）３３ｂとによって一体的に形成されている。
【００３５】
基端部３３ａは、図９に示すように、断面が円に近い長円状に形成された軸部３３ｃと、この軸部３３ｃの両端部に形成されたストッパ部３３ｄとによって一体的に形成されている。軸部３３ｃは、その軸方向の長さがアーム３２ｇ、３２ｇの対向する面間の長さよりわずかに短く形成されている。軸部３３ｃの各端面には、回転支持軸３２ｈと回転自在に嵌合する所定の深さの軸受孔３３ｅが形成されている。
【００３６】
また、軸部３３ｃには、一方の軸受孔３３ｅに対応する部分に、当該軸受孔３３ｅの軸方向に沿って延在し、かつ外周面から当該軸受孔３３ｅ内に達するように切り込まれたスリット３３ｆが形成されている。このスリット３３ｆは、その長さが一方の軸受孔３３ｅの深さとほぼ同一に形成され、その幅が軸受孔３３ｅから外周面に向けて漸次広くなるように形成されており、回転支持軸３２ｈが外周面側から軸受孔３３ｅ内に入るのを許容し、かつ当該回転支持軸３２ｈが軸受孔３３ｅから外周面側に出るのを阻止する形状になっている。この場合、軸受孔３３ｅの内面位置におけるスリット３３ｆの幅は、回転支持軸３２ｈの直径より小さなものとなっている。また、スリット３３ｆは、図９（ｂ）に示すように、軸部３３ｃを端面視した場合において、板状部３３ｂに沿って作用する肩紐４からの力Ｆの方向に対して、周方向にほぼ９０度ずれた位置に形成されており、当該肩紐４からの力Ｆによって、回転支持軸３２ｈが軸受孔３３ｅから抜け出すのを防止するようになっている。
【００３７】
なお、基端部３３ａは、スリット３３ｆの無い一方の軸受孔３３ｅを一方の回転支持軸３２ｈに嵌合させた上で、他方の軸受孔３３ｅのスリット３３ｆの部分を他方の回転支持軸３２ｈの外周面に押し付けることによって、そのスリット３３ｆの間隔を弾性的に開いて、他方の軸受孔３３ｅ内に他方の回転支持軸３２ｈを挿入することが可能になっている。
【００３８】
ストッパ部３３ｄは、各アーム３２ｇの側面に当ることによって、回転支持軸３２ｈ回りの基端部３３ａの回転角度を後述する揺動角度γに制限するようになっている。
【００３９】
板状部３３ｂは、幅方向の寸法が軸部３３ｃの軸方向の長さより短い四角形状の板によって形成されたものであり、その幅方向を軸部３３ｃの軸方向に向けた状態で、当該軸部３３ｃの外周面における軸方向の中心部から突出するように形成されている。即ち、板状部３３ｂは、図６に示すように、基端部３３ａが回転支持軸３２ｈに回転自在に取り付けられた状態において、幅広板部３２ｂの軸線Ｃ２と同軸状に延在するように、軸部３３ｃに一体的に形成されている。また、板状部３３ｂは、図９に示すように、先端から軸部３３ｃに向かって漸次厚さが増加するように形成されていると共に、軸部３３ｃの近傍部分に補強用のリブ３３ｇを有しており、曲げ強度の向上が図られている。
【００４０】
また、板状部３３ｂは、先端部に、肩紐４の一端部４ａとの結合を図るための貫通孔（結合部）３３ｈが形成されている。更に、板状部３３ｂには、基端部３３ａから貫通孔３３ｈの間に、基端部３３ａに対して離接する方向の弾性変形量の増大を図ると共に、曲げ方向の弾性変形量の増大を図ることにより、衝撃力として作用する肩紐４からの力Ｆを吸収することが可能な弾性変形部３３ｉが形成されている。この弾性変形部３３ｉは、板状部３３ｂの一部を当該板状部３３ｂの一方の面側に円弧状に突出するように湾曲させた湾曲部によって形成されている。
【００４１】
肩紐４は、図３〜図５及び図１０〜図１２に示すように、帯状に形成された複数の素材を積層したもので構成されている。肩紐４の一端部４ａは、図３に示すように、支持部材３２におけるアーム３２ｇ、３２ｇ間に挿入され、図５に示すように、基端部３３ａ及び棒状部材３２ｉを内側に配した状態で当該棒状部材３２ｉの部位で折り返されることにより、板状部３３ｂの表裏の各面を両側から挟んだ状態で、図３及び図４に示すように、基端部３３ａや板状部３３ｂの側縁部に沿う部分で縫合糸４ｂによって縫合されることにより、支持部材３２に連結されている。そして、肩紐４は、図５に示すように、その一端部４ａにける互いに重なる２つの位置に形成された貫通孔４ｃ及び板状部３３ｂの貫通孔３３ｈに挿入された留め金３６によって、当該板状部３３ｂに結合されるようになっている。この場合、肩紐４の一端部４ａは、ループ状に形成された状態になっている。
【００４２】
棒状部材３２ｉは、ループ状に形成された肩紐４の一端部４ａの内側に沿うように配置されており、当該一端部４ａが支持部材３２から脱落するのを防止するようになっている。また、棒状部材３２ｉは、アーム３２ｇ、３２ｇが互いに開く方向に変形するのを防止する補強部材を兼ねたものともなっている。なお、肩紐４から作用する力は、留め金３６及び貫通孔３３ｈを介して板状部３３ｂに伝達されることになる。従って、ランドセルを通常使用している状態においては、肩紐４からの力が棒状部材３２ｉに直接作用することがなく、このため、肩紐４の一端部４ａにおけるループ状に形成された部分や、縫合部４ｂにも肩紐４からの力が作用することがない。即ち、通常の使用状態においては、肩紐４における一端部４ａのループ状に形成された部分、縫合部４ｂ及び棒状部材３２ｉが肩紐４から作用する力によって破損するおそれのない構造になっている。
【００４３】
また、肩紐４は、図１０〜図１２に示すように、左右の側縁部４ｓに沿って、複数本のステンレス鋼製（金属製）の素線を撚り合わせて形成されたワイヤロープ４１が埋め込まれた構成になっている。ワイヤロープ４１は、ロープ径が２ｍｍのもので構成されており、一端部４ａにおける板状部（案内部材）３３ｂに対応する位置から背負う者の肩の前方に対応する位置まで延在するように設けられている。即ち、ワイヤロープ４１は、その一端部４ａが支持部材３２に連結された状態において、板状部３３ｂの側方に十分重なる位置から、肩紐４の他端部４ｄに形成された複数の係止孔４ｅのうち最も一端部４ａ寄りに位置する係止孔４ｅの側方位置まで延在するように設けられている。係止孔４ｅは、図１に示すように、下紐５の一端部に設けられた連結具５１のピン５１ａを挿入するために、肩紐４の他端部４ｄに一列状に形成されたものである。連結具５１は、肩紐４の他端部４ｄを下紐５の一端部に連結すべく、当該下紐５の一端部に設けられたものである。
【００４４】
更に、肩紐４は、図１１に示すように、緩衝部材４２と、裏面部材４３と、表面部材４４とを備えた構成になっている。緩衝部材４２は、屈曲性を有する発泡合成樹脂によって帯状に形成されたものであり、肩紐４の一端部４ａにおける先端側の貫通孔４ｃの近傍部分（図１２参照）を除く当該肩紐４の全体にわたって延在している。裏面部材４３は、緩衝部材４２における背負う者の肩側を向く面（即ち、裏面）を覆う裏面部４３ａを有し、かつ当該裏面部４３ａから緩衝部材４２の表面における両側縁部に沿うように折り返された折返部４３ｂを有する所定の厚さの屈曲性を有するシート材によって形成されている。表面部材４４は、緩衝部材４２の表面及び各折返部４３ｂに重なるように設けられた所定の厚さの屈曲性を有するシート材によって形成されている。この表面部材４４は、強度が高く、かつ裏面部材４３より厚い素材によって形成されている。但し、表面部材４４は、緩衝部材４２より薄いものとなっている。また、表面部材４４は、図１２に示すように、一端部４ａにおける先端側の部分が緩衝部材４２及び裏面部材４３より先端側に突出した形状になっており、その突出した部分に一方の貫通孔４ｃが形成されている。また、他方の貫通孔４ｃは、裏面部材４３、緩衝部材４２及び表面部材４４を同軸状に貫通するように形成されている。そして、ワイヤロープ４１は、図１１に示すように、各折返部４３ｂと表面部材４４との間に配置されている。
【００４５】
また、表面部材４４と裏面部４３ａとは、ワイヤロープ４１の両側に沿う各ライン上において、折返部４３ｂ及び緩衝部材４２を挟んだ状態で縫合糸４５によって縫合されている。この場合、表面部材４４と裏面部４３ａとは、折返部４３ｂとワイヤロープ４１との間及び表面部材４４とワイヤロープ４１との間に接着剤を配した上で縫合されるようになっている。即ち、ワイヤロープ４１は、縫合によって表面部材４４と折返部４３ｂとの間に固定されていると共に、接着によっても表面部材４４及び折返部４３ｂに固定された状態になっている。なお、緩衝部材４２と裏面部材４３も、接着剤によって互いに接着された状態になっている。
【００４６】
また、図２、図３、図１０及び図１２において、ワイヤロープ４１は、裏面部材４３の内方に隠れた状態になっており、本来は破線を用いて描くべきものであるが、当該ワイヤロープ４１の所在する位置を明記するため実線を用いて示している。
【００４７】
一方、ベース部材３１は、図２に示すように、その表面側がカバー部材３７によって覆われるようになっている。このカバー部材３７は、ベース部材３１に支持部材３２や板バネ３５等の必要な部品を組み込んだ上で、そのベース部材３１の表面側を覆うように設置した後、当該カバー部材３７に形成された図示しない貫通孔及びベース部材３１に形成された各揺動支持部３１ｃの中心貫通孔に挿入される図示しない留め金によって、当該ベース部材３１に一体的に結合されるようになっている。
【００４８】
このように一体的に結合されたベース部材３１及びカバー部材３７は、背当て部２における所定の位置に配置し、そのカバー部材３７の上から化粧用のシート部材２２を被せ、このシート部材２２の上にさらに化粧を兼ねた保護部材３８を載置した上で、この保護部材３８の図示しない貫通孔、シート部材２２の図示しない貫通孔、カバー部材３７の図示しない貫通孔、ベース部材３１の各連結孔３１ｅのそれぞれに挿入され、更に背当て部２の図示しない貫通孔に挿入される留め金３４により、当該背当て部２に強固に固定されるようになっている。即ち、背かん３は、留め金３４によって、背当て部２に強固に固定されるようになっている。シート部材２２は、カバー部材３７を覆った状態でその周縁部が背当て部２に縫着されるようになっている。
【００４９】
また、背かん３が背当て部２に固定された状態において、連結部材３３は、図５及び図７に示すように、その基端部３３ａが下方に位置し、板状部３３ｂが上方に位置した状態になっている。そして、基端部３３ａは、図６及び図７に示すように、板状部３３ｂの各面が背当て部２の前後方向に揺動するように支持部材３２の回転支持軸３２ｈに回転自在に連結された状態になっている。
【００５０】
また、ストッパ部３３ｄは、図７に示すように、板状部３３ｂの前方への揺動角度γが所定の角度となるように基端部３３ａの回転範囲を制限するようになっている。この場合、揺動角度γは、背当て面２１ａに対して背当て部２の前方に３０度の角度となるように設定されている。なお、図４、図５及び図７においては、背当て面２１ａに沿って上方に延在する方向に対する角度をもって、揺動角度γを示している。
【００５１】
また、図１、図２及び図１３において、７は、ランドセルを手提げ鞄のように持つことを可能にする取っ手である。
【００５２】
上記のように構成されたランドセルにおいては、肩紐４の各側縁部に沿って複数本のステンレス鋼製の素線で形成されたワイヤロープ４１が埋め込まれているので、肩紐４の屈曲性を維持しながら、当該肩紐４の剛性を高めることができる。そして、肩紐４の剛性を高めることによって、当該肩紐４の形状を背負う者の肩に沿う形状に維持しようとする力が高まることになるので、その力に基づいて、図１３に示すように、ランドセル本体部（ランドセル）１を背中から離れる方向に移動させようとするモーメントＭに対して抵抗する方向のモーメントＭ´を増大させることができる。
【００５３】
従って、背負う者の背中から離れる方向に移動するのを極力防止することができるので、背負っているうちに、重く感じるようになったり、肩紐４が背負う者の肩から外れやすくなるのを防止することができる。しかも、ワイヤロープ４１によって肩紐４の強度の向上を図ることができる。
【００５４】
また、肩紐４の一端部４ａが背かん３に設けられた板状部３３ｂによって上方に案内されるようになっているので、肩紐４の一端部４ａを背負う者の背中に沿うように維持することができる。しかも、ワイヤロープ４１が板状部３３ｂに対応する位置から背負う者の肩の前方に対応する位置まで延在しているので、肩紐４は背負う者の背中から肩の後部に沿うように滑らかに湾曲すると共に、当該肩の上部及び前部にかけても当該肩に密着するように滑らかに湾曲するような形状を維持することができる。
【００５５】
従って、肩紐４が板状部３３ｂの上端部分から背負う者の肩側に急激に屈曲することがないので、背負う者の背中から離れる方向に移動するのをより有効に防止することができる。よって、重く感じたり、肩紐４が肩から外れやすくなるのをより確実に防止することができる。
【００５６】
更に、緩衝部材４２と、この緩衝部材４２の裏面を覆う裏面部４３ａを有し、かつ当該裏面部４３ａから緩衝部材４２の表面側に折り返された折返部４３ｂを有する裏面部材４３と、緩衝部材４２の表面及び各折返部４３ｂに重なるように設けられた表面部材４４とを備え、ワイヤロープ４１が表面部材４４と各折返部４３ｂとの間に配置されているので、当該ワイヤロープ４１に作用する衝撃荷重が折返部４３ｂ、緩衝部材４２及び裏面部４３ａによって緩衝された後に背負う者の肩等に作用することになる。従って、背負う者がワイヤロープ４１を備えた肩紐４から受ける力によって痛みや疲れ等を感じるのを防止することができる。
【００５７】
しかも、表面部材４４と裏面部４３ａとがワイヤロープ４１の両側に沿う各ライン上において、折返部４３ｂ及び緩衝部材４２を挟んだ状態で縫合されているので、表面部材４４、折返部４３ｂ、緩衝部材４２及び裏面部４３ａを一体的に結合することができると共に、ワイヤロープ４１を肩紐４の各側縁部に確実に保持することができる。従って、肩紐４の耐久性の向上を図ることができると共に、ワイヤロープ４１の位置を初期の状態に確実に維持することができる。
【００５８】
そして、ワイヤロープ４１が表面部材４４及び折返部４３ｂと接着されているので、縫合によって一体化された表面部材４４、折返部４３ｂ、緩衝部材４２及び裏面部４３ａと、ワイヤロープ４１との一体化がより強固になる。従って、肩紐４の耐久性をより向上させることができると共に、ワイヤロープ４１の位置を初期の状態により確実に維持することができる。
【００５９】
なお、上記実施の形態においては、ワイヤロープ４１をステンレス鋼製の素線を撚り合わせたもので構成したが、このワイヤロープ４１としては、ステンレス鋼以外の他の金属の素線を撚り合わせたもので構成してもよい。但し、その金属としては、腐食が進行しにくい真鍮等の金属を用いることが好ましい。また、ワイヤ径として２ｍｍのワイヤロープ４１を用いた例を示したが、このワイヤロープ４１としては、１ｍｍ以上、３ｍｍ以下のワイヤ径のものを用いることが好ましい。１ｍｍ未満では、肩に沿う形状を維持するための剛性を肩紐４に十分付与することができなくなるからであり、３ｍｍを超えると、肩紐４の剛性が大きくなりすぎて、背負ったり下ろしたりすることが困難になってくるからである。
【００６０】
また、上記実施の形態においては、図２に示すように、取っ手７を設けた例を示したが、この取っ手７の代わりに又はこの取っ手７と共に、左右の支持部材３２の間の中央部にランドセルを学習机の側面等に設けられたフックに吊下げるための吊下げ環を設けるように構成してもよい。この場合、吊下げ環は、その下端部をベース部材３１に連結するように構成することが好ましい。
【図面の簡単な説明】
【００６１】
【図１】本考案の一実施の形態として示したランドセルの斜視図である。
【図２】同ランドセルにおける背かんの要部を破断して示した正面図である。
【図３】同ランドセルにおける背かんの支持部材及び連結部材と肩紐の一端部を示す正面図である。
【図４】同ランドセルにおける背かんの支持部材及び連結部材と肩紐の一端部を示す図３におけるIV矢視図であって、（ａ）は連結部材の板状部が真上に延在した状態を示す図であり、（ｂ）は連結部材の板状部が前方にγ＝３０度傾いた方向に延在する状態を示す図である。
【図５】同ランドセルにおける背かんの支持部材及び連結部材と肩紐の一端部を示す図３におけるＶ−Ｖ線に沿う断面図であって、（ａ）は連結部材の板状部が真上に延在した状態を示す図であり、（ｂ）は連結部材の板状部が前方にγ＝３０度傾いた方向に延在する状態を示す図である。
【図６】同ランドセルにおける背かんの支持部材及び連結部材を示す図であって、（ａ）は正面図であり、（ｂ）は裏面図である。
【図７】同ランドセルにおける背かんの支持部材及び連結部材を示す図であって、（ａ）は図６（ａ）のＡ矢視図であり、（ｂ）は図６（ａ）のＢ−Ｂ線に沿う断面図である。
【図８】同ランドセルにおける背かんの支持部材を示す図であって、（ａ）は正面図、（ｂ）は右側面図、（ｃ）は裏面図、（ｄ）は左側面図、（ｅ）は（ｃ）のＥ−Ｅ線に沿う断面図である。
【図９】同ランドセルにおける背かんの連結部材を示す図であって、（ａ）は正面図、（ｂ）は右側面図、（ｃ）は裏面図、（ｄ）は左側面図、（ｅ）は（ａ）のＥ−Ｅ線に沿う断面図である。
【図１０】同ランドセルにおける肩紐の裏面部材側と、肩紐の一端部に連結された背かんの支持部材及び連結部材とを示す正面図である。
【図１１】同ランドセルにおける肩紐を示す図であって、図１０のXI−XI線に沿う断面図である。
【図１２】同ランドセルにおける肩紐の裏面部材側を展開した状態で示した正面図である。
【図１３】同ランドセルの作用効果を示す説明図である。
【図１４】従来のランドセルの構成及び問題点を示す説明図である。
【符号の説明】
【００６２】
２  背当て部
３  背かん
４  肩紐
４ａ  一端部
４ｓ  側縁部
３３ｂ  板状部（案内部材）
４１  ワイヤロープ
４２  緩衝部材
４３  裏面部材
４３ａ  裏面部
４３ｂ  折返部
４４  表面部材
【図１】
0003145230.tif 000003
【図２】
0003145230.tif 000004
【図３】
0003145230.tif 000005
【図４】
0003145230.tif 000006
【図５】
0003145230.tif 000007
【図６】
0003145230.tif 000008
【図７】
0003145230.tif 000009
【図８】
0003145230.tif 000010
【図９】
0003145230.tif 000011
【図１０】
0003145230.tif 000012
【図１１】
0003145230.tif 000013
【図１２】
0003145230.tif 000014
【図１３】
0003145230.tif 000015
【図１４】
0003145230.tif 000016